(57)【要約】【課題】  育苗施設において、作物苗を出荷する場合に、作物苗を出荷用のトラック等に載せる作業が楽に行えるように構成する。【解決手段】  作物苗保持体８を平面状に並べて収容する育苗領域１、作物苗保持体８を上下方向に段状に支持して昇降駆動可能な保持体支持部１５、育苗領域１及び保持体支持部１５の下部に亘り作物苗保持体８を移動可能に案内する案内経路５を備える。保持体支持部１５に対して育苗領域１とは反対側に作業領域３を備え、作物苗保持体８を保持体支持部１５の下部及び作業領域３に亘り移動可能に案内する作業案内経路９を備える。保持体支持部１５に作物苗保持体８が上下方向に段状に支持された状態において、作物苗保持体８を保持体支持部１５の下部を通して育苗領域１及び作業領域３に亘り移動可能に構成する。【選択図】        図２
2005065593.tif 000002
【特許請求の範囲】
【請求項１】
作物苗を収納する多数の作物苗保持体を平面状に並べて収容する育苗領域と、複数の作物苗保持体を上下方向に段状に支持して昇降駆動可能な保持体支持部と、前記育苗領域及び保持体支持部の下部に亘り作物苗保持体を移動可能に案内する案内経路とを備えて、
作物苗保持体を前記育苗領域から保持体支持部の下部に移動させることにより、前記保持体支持部の下部に移動した作物苗保持体を上昇駆動して上下方向に段状に保持体支持部に支持可能に構成し、前記保持体支持部に支持された作物苗保持体を下降駆動することにより、作物苗保持体を前記保持体支持部の下部から育苗領域に移動可能に構成すると共に、
前記保持体支持部に対して育苗領域とは反対側に作業領域を備え、作物苗保持体を前記保持体支持部の下部及び作業領域に亘り移動可能に案内する作業案内経路を備えて、
前記保持体支持部に作物苗保持体が上下方向に段状に支持された状態で、作物苗保持体を前記保持体支持部の下部を通して育苗領域及び作業領域に亘り移動可能に構成してある育苗施設。
【請求項２】
複数の作物苗保持体の各々を所定の上下間隔を開けて支持して昇降駆動可能に、前記保持体支持部を構成してある請求項１に記載の育苗施設。
【請求項３】
作物苗を収納する多数の作物苗保持体を平面状に並べて収容する育苗領域と、複数の作物苗保持体の各々を所定の上下間隔を開けて上下方向に段状に支持して昇降駆動可能な保持体支持部とを備え、
前記保持体支持部を収容する建屋と、前記建屋の室温を調節する室温調節装置と、前記育苗領域及び保持体支持部の下部に亘り作物苗保持体を移動可能に支持する案内経路とを備えて、
作物苗保持体を前記育苗領域から保持体支持部の下部に移動させることにより、前記保持体支持部の下部に移動した作物苗保持体を上昇駆動して上下方向に段状に保持体支持部に支持可能に構成し、前記保持体支持部に支持された作物苗保持体を下降駆動することにより、作物苗保持体を前記保持体支持部の下部から育苗領域に移動可能に構成してある育苗施設。
【発明の詳細な説明】
【技術分野】
【０００１】
本発明は、作物苗の育苗施設に関する。
【背景技術】
【０００２】
育苗施設として、例えば特許文献１に開示されているようなものがある。特許文献１の構造では、作物苗（特許文献１の図６及び図７中のａ）を収納する多数の作物苗保持体（特許文献１の図６及び図７中の２）、多数の作物苗保持体を平面状に並べて収容する育苗領域（特許文献１の図６中のＢ）、複数の作物苗保持体を上下方向に段状に支持して昇降駆動可能な保持体支持部（特許文献１の図６及び図７中の６）、育苗領域及び保持体支持部の下部に亘り作物苗保持体を移動可能に案内する案内経路（特許文献１の図６及び図７中の５）が備えられている。
【０００３】
これにより特許文献１の構造によると、作物苗保持体を育苗領域から保持体支持部の下部に移動させることにより、保持体支持部の下部に移動された作物苗保持体が上昇駆動されて、保持体支持部に上下方向に段状に支持される。逆に保持体支持部に支持された作物苗保持体を下降駆動することにより、作物苗保持体を保持体支持部の下部から育苗領域に移動させることができる。
【０００４】
特許文献１の構造では、保持体支持部の付近を花芽分化促進領域（特許文献１の図６中のＣ）として設定し、室温を調節する室温調節装置（特許文献１の図６中の４）を備えている。これにより、特許文献１の構造によると、例えば果樹類の作物苗に栄養成長から生殖成長へ転換させる花芽分化を行わせる場合、昼間は作物苗保持体を育苗領域に平面状に並べて収容しておき、夜間は作物苗保持体を保持体支持部に上下方向に段状に支持して、室温調節装置を作動させると言うような作業を行う。
特許文献１の構造によると、作物苗保持体を保持体支持部に上下方向に段状に支持する場合、上下の作物苗保持体の間にスタンド（特許文献１の図６中の２Ａ）を入れることにより、複数の作物苗保持体が直接に積み重ねられている。
【０００５】
【特許文献１】特開２００３−９２９３１号公報（図６及び図７）
【発明の開示】
【発明が解決しようとする課題】
【０００６】
作物苗の成長は均一ではないことがあり、ある作物苗保持体では作物苗が出荷できる状態に成長しているのに、別の作物苗保持体では作物苗の成長が充分ではないと言うようなことがある。作物苗を出荷する場合、作物苗保持体から作物苗を取り出して出荷するのであり、作物苗保持体は育苗領域に残しておく。
これにより、特許文献１の構造において、例えば育苗領域の中間位置の作物苗保持体から作物苗を出荷する必要が生じた場合、育苗領域の中間位置において、作業者が作物苗を作物苗保持体から取り出し、歩いて育苗領域の外部に運び出し、出荷用のトラック等に載せると言うような作業を行わなければならない。
本発明は育苗施設において、作物苗を出荷する場合に、作物苗を出荷用のトラック等に載せる作業が楽に行えるように構成することを目的としている。
【０００７】
特許文献１の構造では、作物苗保持体を保持体支持部に上下方向に段状に支持する場合に、複数の作物苗保持体が直接に積み重ねられるので、特に下部の作物苗保持体に上方の全ての作物苗保持体の重量が掛かることになり、特に重量の重い作物苗を作物苗保持体に収納した際に作物苗保持体の強度の面で不安が生じる。
本発明は育苗施設において、特に重量の重い作物苗を作物苗保持体に収納した場合でも作物苗保持体の強度の面で不安が生じないように構成することを目的としている。
【課題を解決するための手段】
【０００８】
［Ｉ］
（構成）
本発明の第１特徴は、育苗施設において次のように構成することにある。
作物苗を収納する多数の作物苗保持体を平面状に並べて収容する育苗領域と、複数の作物苗保持体を上下方向に段状に支持して昇降駆動可能な保持体支持部と、育苗領域及び保持体支持部の下部に亘り作物苗保持体を移動可能に案内する案内経路とを備える。作物苗保持体を育苗領域から保持体支持部の下部に移動させることにより、保持体支持部の下部に移動した作物苗保持体を上昇駆動して上下方向に段状に保持体支持部に支持可能に構成し、保持体支持部に支持された作物苗保持体を下降駆動することにより、作物苗保持体を保持体支持部の下部から育苗領域に移動可能に構成する。保持体支持部に対して育苗領域とは反対側に作業領域を備え、作物苗保持体を保持体支持部の下部及び作業領域に亘り移動可能に案内する作業案内経路を備える。保持体支持部に作物苗保持体が上下方向に段状に支持された状態で、作物苗保持体を保持体支持部の下部を通して育苗領域及び作業領域に亘り移動可能に構成する。
【０００９】
（作用）
本発明の第１特徴によると、作物苗保持体を育苗領域に平面状に並べて収容している状態において、例えば育苗領域の中間位置の作物苗保持体から作物苗を出荷する必要が生じた場合、作物苗を出荷する作物苗保持体と保持体支持部との間の作物苗保持体を、育苗領域から保持体支持部の下部に移動させ、保持体支持部の下部に移動した作物苗保持体を上昇駆動して保持体支持部に上下方向に段状に支持させる。次に、作物苗を出荷する作物苗保持体を育苗領域から保持体支持部の下部に移動させ、保持体支持部の下部を通過させて反対側の作業領域に移動させる。
【００１０】
前述のように本発明の第１特徴によると、例えば育苗領域の中間位置の作物苗保持体から作物苗を出荷する必要が生じた場合、作物苗を出荷する作物苗保持体と保持体支持部との間の作物苗保持体を保持体支持部に一時的に退避させて、作物苗を出荷する作物苗保持体を作業領域に移動させることにより、作業領域において作物苗保持体から出荷用のトラック等に作物苗を楽に載せることができる。
本発明の第１特徴によれば、作業領域において作物苗保持体から出荷用のトラック等に作物苗を載せる作業が終了すると、作物苗保持体を作業領域から保持体支持部の下部に移動させ、保持体支持部の下部を通過させて反対側の育苗領域に移動させる。次に、保持体支持部に上下方向に段状に支持された作物苗保持体を下降駆動して、作物苗保持体を保持体支持部の下部から育苗領域に移動させてやれば、容易に元の状態に復帰することができる。
【００１１】
前述のように、作物苗を出荷する作物苗保持体と保持体支持部との間の作物苗保持体を保持体支持部に一時的に退避させる場合、本発明の第１特徴によると、保持体支持部の下部に移動した作物苗保持体を上昇駆動して、保持体支持部に上下方向に段状に支持可能に構成している。
これにより、本発明の第１特徴によると、作物苗を出荷する作物苗保持体と保持体支持部との間の作物苗保持体を保持体支持部に一時的に退避させる場合、保持体支持部の上方の空間を作物苗保持体の支持用に有効に利用しており、保持体支持部から横方向に広がるような空間を使用する必要がない。
【００１２】
（発明の効果）
本発明の第１特徴によると、育苗施設において作物苗を出荷する場合、作物苗を出荷する作物苗保持体と保持体支持部との間の作物苗保持体を保持体支持部に一時的に退避させることにより、作業領域において作物苗保持体から出荷用のトラック等に作物苗を楽に載せることができるようになって、育苗施設の作業能率を向上させることができた。
【００１３】
本発明の第１特徴によれば、作業領域において作物苗保持体から出荷用のトラック等に作物苗を載せる作業が終了すると、作物苗保持体を作業領域から保持体支持部の下部に移動させ、保持体支持部の下部を通過させて反対側の育苗領域に移動させ、保持体支持部に支持された作物苗保持体を下降駆動して、作物苗保持体を保持体支持部の下部から育苗領域に移動させてやることにより、容易に元の状態に復帰することができるので、この点においても育苗施設の作業能率を向上させることができた。
【００１４】
本発明の第１特徴によると、作物苗を出荷する作物苗保持体と保持体支持部との間の作物苗保持体を保持体支持部に一時的に退避させる場合に、保持体支持部の上方の空間を作物苗保持体の支持用に有効に利用しており、不必要に広いスペースを備える必要がないので、育苗施設の不必要な大型化を抑えると言う面で有利なものとなった。
【００１５】
［ＩＩ］
（構成）
本発明の第２特徴は、本発明の第１特徴の育苗施設において次のように構成することにある。
複数の作物苗保持体の各々を所定の上下間隔を開けて支持して昇降駆動可能に、保持体支持部を構成する。
【００１６】
（作用）
本発明の第２特徴によると、本発明の第１特徴と同様に前項［Ｉ］に記載の「作用」を備えており、これに加えて以下のような「作用」を備えている。
本発明の第２特徴によると、保持体支持部において複数の作物苗保持体の各々が上下間隔を開けて支持されるので、複数の作物苗保持体が直接に積み重ねられた状態にならず、下部の作物苗保持体に上方の作物苗保持体の重量が掛かると言う状態は生じない。
【００１７】
前項［Ｉ］に記載のように、作業領域において作物苗保持体から出荷用のトラック等に作物苗を載せる作業が終了し、作物苗保持体を作業領域から保持体支持部の下部に移動させ、保持体支持部の下部を通過させて反対側の育苗領域に移動させた後において、保持体支持部に上下方向に段状に支持された作物苗保持体を下降駆動し、作物苗保持体を保持体支持部の下部から育苗領域に移動させる場合、複数の作物苗保持体が直接に積み重ねられた状態になっていると、保持体支持部の下部において作物苗保持体を一つずつ分離して育苗領域に移動させることは、比較的手間の要する作業となる。
これに対し、本発明の第２特徴では保持体支持部において、複数の作物苗保持体の各々が所定の上下間隔を開けて支持されており、作物苗保持体の一つずつを独立して取り扱うことが比較的容易に行えるので、保持体支持部の下部において作物苗保持体を一つずつ分離して育苗領域に移動させることが比較的容易に行える。
【００１８】
（発明の効果）
本発明の第２特徴によると、本発明の第１特徴と同様に前項［Ｉ］に記載の「発明の効果」を備えており、これに加えて以下のような「発明の効果」を備えている。
本発明の第２特徴によると、保持体支持部において複数の作物苗保持体が直接に積み重ねられた状態にならず、下部の作物苗保持体に上方の作物苗保持体の重量が掛かると言う状態が生じないようにすることができて、特に重量の重い作物苗を作物苗保持体に収納した場合での作物苗保持体の強度の面での不安を解消することができた。
【００１９】
本発明の第２特徴によると、保持体支持部に上下方向に段状に支持された作物苗保持体を下降駆動し、作物苗保持体を保持体支持部の下部から育苗領域に移動させる場合、保持体支持部の下部において作物苗保持体を一つずつ分離して育苗領域に移動させることが比較的容易に行えるようになって、育苗施設の作業能率を向上させることができた。
【００２０】
［ＩＩＩ］
（構成）
本発明の第３特徴は、育苗施設において次のように構成することにある。
作物苗を収納する多数の作物苗保持体を平面状に並べて収容する育苗領域と、複数の作物苗保持体の各々を所定の上下間隔を開けて上下方向に段状に支持して昇降駆動可能な保持体支持部とを備える。保持体支持部を収容する建屋と、建屋の室温を調節する室温調節装置と、育苗領域及び保持体支持部の下部に亘り作物苗保持体を移動可能に支持する案内経路とを備える。作物苗保持体を育苗領域から保持体支持部の下部に移動させることにより、保持体支持部の下部に移動した作物苗保持体を上昇駆動して上下方向に段状に保持体支持部に支持可能に構成し、保持体支持部に支持された作物苗保持体を下降駆動することにより、作物苗保持体を保持体支持部の下部から育苗領域に移動可能に構成する。
【００２１】
（作用）
本発明の第３特徴によると、作物苗保持体を育苗領域に平面状に並べて収容している状態において、作物苗保持体を保持体支持部に上下方向に段状に支持する場合、作物苗保持体を育苗領域から保持体支持部の下部に移動させ、保持体支持部の下部に移動した作物苗保持体を上昇駆動して保持体支持部に上下方向に段状に支持させる。この場合、本発明の第３特徴によると、保持体支持部において複数の作物苗保持体の各々が上下間隔を開けて支持されるので、複数の作物苗保持体が直接に積み重ねられた状態にならず、下部の作物苗保持体に上方の作物苗保持体の重量が掛かると言う状態は生じない。
【００２２】
次に作物苗保持体を保持体支持部に上下方向に段状に支持している状態において、作物苗保持体を育苗領域に平面状に並べて収容する場合、保持体支持部に上下方向に段状に支持された作物苗保持体を下降駆動して、作物苗保持体を保持体支持部の下部から育苗領域に移動させる。この場合、複数の作物苗保持体が直接に積み重ねられた状態になっていると、保持体支持部の下部において作物苗保持体を一つずつ分離して育苗領域に移動させることは、比較的手間の要する作業となるが、本発明の第３特徴では保持体支持部において複数の作物苗保持体の各々が所定の上下間隔を開けて支持されており、作物苗保持体の一つずつを独立して取り扱うことが比較的容易に行えるので、保持体支持部の下部において作物苗保持体を一つずつ分離して育苗領域に移動させることが比較的容易に行える。
【００２３】
本発明の第３特徴によると、保持体支持部を収容する建屋及び建屋の室温を調節する室温調節装置を備えている。これにより、本発明の第３特徴によると、作物苗保持体を保持体支持部に上下方向に段状に支持している状態において、例えば建屋の扉等を閉じたりして建屋を閉じられた空間とすることにより、外気や育苗領域の影響を受けること少なく、室温調節装置による建屋の室温の調節を適切に行うことができる。
【００２４】
この場合、複数の作物苗保持体が直接に積み重ねられた状態になっていると、積み重ねられた作物苗保持体の中央付近の通風が悪くなるので、例えば室温調節装置により建屋の室温を下げた際に、積み重ねられた作物苗保持体の中央付近の温度があまり下がらない状態になることが考えられる（例えば室温調節装置の冷気が積み重ねられた作物苗保持体の中央付近に行き亘り難い状態になることが考えられる）。
本発明の第３特徴では保持体支持部において、複数の作物苗保持体の各々が上下間隔を開けて支持されており、作物苗保持体の中央付近の通風が良い状態になっているので、作物苗保持体の中央付近の温度も適切なものとなる（例えば室温調節装置の冷気が作物苗保持体の中央付近にも充分に行き亘る）。
【００２５】
（発明の効果）
本発明の第３特徴によると、育苗施設において、作物苗保持体を育苗領域に平面状に並べて収容している状態から、作物苗保持体を保持体支持部に上下方向に段状に支持する場合、保持体支持部において複数の作物苗保持体が直接に積み重ねられた状態にならず、下部の作物苗保持体に上方の作物苗保持体の重量が掛かると言う状態が生じないようにすることができて、特に重量の重い作物苗を作物苗保持体に収納した場合での作物苗保持体の強度の面での不安を解消することができた。
【００２６】
本発明の第３特徴によると、作物苗保持体を保持体支持部に上下方向に段状に支持している状態から、作物苗保持体を育苗領域に平面状に並べて収容する場合、保持体支持部の下部において作物苗保持体を一つずつ分離して育苗領域に移動させることが比較的容易に行えるようになって、育苗施設の作業能率を向上させることができた。
【００２７】
本発明の第３特徴によると、作物苗保持体を保持体支持部に上下方向に段状に支持している状態において、作物苗保持体の中央付近の通風が良い状態となっているので、室温調節装置による建屋の室温の調節により、作物苗保持体をムラなく適切な温度にすることができるようになって、育苗施設の育苗性能を向上させることができた。
【発明を実施するための最良の形態】
【００２８】
［１］
図１及び図２は、例えばイチゴ苗等の作物苗Ａ（図３参照）の育苗施設の全体を示しており、育苗施設は育苗領域１、花芽分化促進領域２及び作業領域３を備えて構成され、花芽分化促進領域２を間に位置させて、育苗領域１及び作業領域３が互いに反対側に位置している。
【００２９】
図１及び図２に示すように、育苗領域１に横長の４棟のビニールハウス４が備えられており、ビニールハウス４の各々の内部に２列の案内レール５（案内経路に相当）が備えられている。図３に示すように、ビニールハウス４の各々の内部において、アーチ状のレール架台７が所定間隔を置いて床部６に取り付けられ、図３，４，５に示すように、レール架台７の上部にＶ字状の受け部７ａが固定されており、丸パイプ状の案内レール５がレール架台７の受け部７ａに取り付けられている。この場合、案内レール５はレール架台７の受け部７ａから取り外し自在であり、レール架台７も床部６から取り外し自在である。
【００３０】
図２及び図３に示すように、作物苗保持体８は長方形状で浅い箱状に構成されて、多数の作物苗Ａを収納するように構成されており、図３及び図４に示すように、作物苗保持体８の底部にローラー８ａがＶ字状に配置されて回転自在に支持され、図３及び図５に示すように、作物苗保持体８の底部にローラー８ｂが横向きに回転自在に支持されている。これにより、作物苗保持体８のローラー８ａ，８ｂを案内レール５に載せることにより、作物苗保持体８が案内レール５に平面状に並べて支持されるのであり、案内レール５に沿って作物苗保持体８を移動させることができる。
【００３１】
図１及び図２に示すように、作業領域３は特に建屋等が備えられておらず開放された状態となっており、支持台９（作業案内経路に相当）が作業領域３に配置されて、出荷用のトラック１０が作業領域３に入り込むことができる。支持台９は６個の作物苗保持体８を平面状に並べて支持することができるように構成され、支持台９の脚部（図示せず）に移動用の車輪（図示せず）が備えられており、作業領域３において支持台９を自由に移動させることができる。
【００３２】
［２］
次に、花芽分化促進領域２について説明する。
図１及び図２に示すように、４棟のビニールハウス４に亘る縦長の建屋１１が備えられて、建屋１１の屋根部にエアコン等の８個の室温調節装置１２が備えられている。建屋１１のビニールハウス４側の壁部に、案内レール５の各々に対応して８個の扉１３が備えられており、扉１３は上下にスライドさせて開閉することができる。建屋１１の作業領域３側の壁部に、案内レール５の各々に対応して８個の扉１４が備えられており、扉１４は上下にスライドさせて開閉することができる。
【００３３】
図２及び図６に示すように、建屋１１の内部において、保持体支持部１５が案内レール５（扉１３，１４）の各々に対応して備えられており、建屋１１の内部に合計８個の保持体支持部１５が備えられている。図６及び図７に示すように、室温調節装置１２の冷却器１２ａが、正面視（図６参照）で保持体支持部１５の中間の上方、並びに側面視（図７参照）で建屋１１のビニールハウス４側及び作業領域３側の壁部に備えられており、室温調節装置１２の冷却器１２ａの近傍に、点検口２４（開閉自在な蓋部（図示せず）付き）が備えられている。
【００３４】
図６及び図７に示すように、支持フレーム１６が大きな枠状に構成されて、支持フレーム１６の上部に駆動軸１７が回転自在に支持され、支持フレーム１６の上部に油圧モータ１８が固定されており、駆動軸１７と油圧モータ１８とに亘って伝動チェーン１９が巻回されて、油圧モータ１８により駆動軸１７が回転駆動可能に構成されている。支持フレーム１６の下部に従動軸２０が回転自在に支持され、従動軸２０の両端にスプロケット２０ａが固定されており、駆動軸１７の４箇所にスプロケット１７ａが固定されている。スプロケット１７ａ，２０ａに亘りチェーン２１が巻回されており、アングル部材状の横長の支持部材２２が前後一対のチェーン２１に亘って取り付けられている。以上のようにして保持体支持部１５が構成されている。
【００３５】
図２及び図６に示すように、保持体支持部１５の下部に案内レール２３が備えられており、案内レール２３の間に搬送装置２５が備えられている。図８及び図９に示すように、横長の支持ガイド２６が脚部２７によって支持されており、支持ガイド２６の両端の位置に駆動スプロケット２８及び従動スプロケット２９が回転自在に支持されている。駆動スプロケット２８を回転駆動する電動モータ３０が備えられて、駆動スプロケット２８及び従動スプロケット２９に亘ってチェーン３１が巻回されており、チェーン３１に２個の押し金具３２，３３が取り付けられている。以上のようにして、搬送装置２５が構成されており、案内レール２３及び搬送装置２５の長さが、６個の作物苗保持体８の長さに相当するように構成されている。
【００３６】
［３］
イチゴ苗等の作物苗Ａでは一般に、昼間は比較的高温の環境で太陽の光を浴びさせ、夜間は比較的低温の環境に置いておくと言うような作業を行って、花芽分化を行わせる。これにより、昼間は図１及び図２に示すように、全ての作物苗保持体８を育苗領域１に平面状に並べて収容しておく。
【００３７】
次に、作物苗保持体８を育苗領域１に平面状に並べて収容している状態から、作物苗保持体８を保持体支持部１５に上下方向に段状に支持する場合について説明する。
図１及び図２に示すように、作物苗保持体８を育苗領域１に平面状に並べて収容している状態において、図８，９，１０（イ）に示すように扉１３を開けて、作物苗保持体８を案内レール５に沿って建屋１１の内部に移動させて、案内レール２３に支持させるのであり、６個の作物苗保持体８を案内レール２３に支持させる。
【００３８】
この場合、図８，９，１０（イ）に示すように、搬送装置２５（押し金具３２，３３）を図９に示す状態で停止させておくことにより、作物苗保持体８の移動に対し押し金具３３が邪魔にならないのであり、押し金具３２が作物苗保持体８に対しストッパーとして機能する。保持体支持部１５において上端の支持部材２２（図６の紙面右側の状態参照）が案内レール２３の位置に位置するように、駆動軸１７を逆方向に回転駆動して、支持部材２２を下降駆動しておく（図６の紙面左側の状態参照）。
【００３９】
図８，９，１０（イ）に示すようにして６個の作物苗保持体８が案内レール２３に支持されると、図８，９，１０（ロ）に示すように、保持体支持部１５において駆動軸１７を正方向に所定量だけ回転駆動して停止させて、支持部材２２を上昇駆動することにより、支持部材２２に６個の作物苗保持体８が支持されて案内レール２３から持ち上げられ、次の支持部材２２が案内レール２３の位置に位置する。
【００４０】
次に前述と同様に図８，９，１０（イ）に示すように、作物苗保持体８を案内レール５に沿って建屋１１の内部に移動させて案内レール２３に支持させ、６個の作物苗保持体８を案内レール２３に支持させて、保持体支持部１５において駆動軸１７を正方向に所定量だけ回転駆動して停止させ、次の支持部材２２に６個の作物苗保持体８が支持されて案内レール２３から持ち上げられるようにする。以上のような作業を繰り返すことによって、図１１（イ）（ロ）に示すように、育苗領域１（１列の案内レール５）の全ての作物苗保持体８を保持体支持部１５に上下方向に段状に支持させる（最後の作物苗保持体８を案内レール２３に支持させておくこともある）。
【００４１】
図１１（ロ）に示すように、育苗領域１（１列の案内レール５）の全ての作物苗保持体８を保持体支持部１５に上下方向に段状に支持させると、扉１３，１４を閉じて、室温調節装置１２により、建屋１１の室温を適切な低温に維持する。
この場合、図８及び図９に示すように、保持体支持部１５において作物苗保持体８の各々が上下間隔を開けて支持部材２２に支持されるので、下部の作物苗保持体８に上方の作物苗保持体８の重量が掛かると言う状態は生じない。作物苗保持体８の各々においての中央付近の通風が良い状態になっているので、作物苗保持体８の各々がムラなく適切な低温に維持される。
【００４２】
［４］
次に、作物苗保持体８を保持体支持部１５に上下方向に段状に支持している状態から、作物苗保持体８を育苗領域１に平面状に並べて収容する場合について説明する。
図１１（ロ）に示すように、育苗領域１（１列の案内レール５）の全ての作物苗保持体８を保持体支持部１５に上下方向に段状に支持させた状態において、図１２（イ）に示すように扉１３を開けて、搬送装置２５において駆動スプロケット２８を正方向に所定量だけ回転駆動して停止させると、案内レール２３に支持された作物苗保持体８が押し金具３２によって案内レール５に押し出されるのであり、押し金具３３が図１２（ロ）に示す位置に位置する。
【００４３】
次に図１２（ロ）に示すように、保持体支持部１５において駆動軸１７を逆方向に所定量だけ回転駆動して停止させて、支持部材２２を下降駆動することにより、下端の支持部材２２に支持された作物苗保持体８が案内レール２３に移される。これにより、前述と同様に（図１２（イ）参照）、搬送装置２５において駆動スプロケット２８を正方向に所定量だけ回転駆動して停止させると、案内レール２３に支持された作物苗保持体８が押し金具３３によって案内レール５に押し出されるのであり、押し金具３２が図１１（イ）（ロ）に示す位置に位置する。
以上のような作業を繰り返しながら、案内レール５に押し出された作物苗保持体８を案内レール５に沿ってビニールハウス４の内部に移動させることにより、作物苗保持体８を育苗領域１に平面状に並べて収容する状態に戻す。
【００４４】
［５］
次に、作物苗保持体８を育苗領域１に平面状に並べて収容している状態において、例えば育苗領域１の中間位置の作物苗保持体８から作物苗Ａを出荷する必要が生じた場合について説明する。
図１及び図２に示すように、作物苗保持体８を育苗領域１に平面状に並べて収容している状態において、前項［３］の記載と同様に図１３（イ）に示すように扉１３を開けて、作物苗保持体８を案内レール５に沿って建屋１１の内部に移動させて、案内レール２３に支持させるのであり、保持体支持部１５において駆動軸１７を正方向に所定量だけ回転駆動して停止させて、支持部材２２を上昇駆動することにより、支持部材２２に作物苗保持体８を支持させて案内レール２３から持ち上げさせる。以上のような作業を繰り返すことにより、図１３（ロ）及び図１４（イ）に示すように、作物苗Ａを出荷する作物苗保持体８（８ｃ）と保持体支持部１５との間の作物苗保持体８を、保持体支持部１５に上下方向に段状に支持させる。
【００４５】
次に図１４（イ）（ロ）に示すように、支持台９を扉１４の位置に位置させた状態において、作物苗Ａを出荷する作物苗保持体８（８ｃ）を案内レール５に沿って建屋１１の内部に移動させて案内レール２３に支持させ、搬送装置２５において駆動スプロケット２８を逆方向に所定量だけ回転駆動して停止させる。これにより、作物苗Ａを出荷する作物苗保持体８（８ｃ）が、押し金具３３によって保持体支持部１５の下部を通過して支持台９に押し出されるのであり、作業領域３において作物苗保持体８（８ｃ）から出荷用のトラック１０に作物苗Ａを楽に載せることができる（図１参照）。
【００４６】
作業領域３において作物苗保持体８（８ｃ）から出荷用のトラック１０に作物苗Ａを載せる作業が終了すると、図１４（イ）（ロ）に示す状態とは逆に、空の作物苗保持体８（８ｃ）を支持台９から建屋１１の内部に移動させて案内レール２３に支持させ、搬送装置２５において駆動スプロケット２８を正方向に所定量だけ回転駆動して停止させて、空の作物苗保持体８（８ｃ）を押し金具３３によって保持体支持部１５の下部を通過させて案内レール５に押し出す。次に前項［４］、図１２（イ）（ロ）に記載の作業を行うことにより、作物苗保持体８を育苗領域１に平面状に並べて収容する状態に戻す。
【００４７】
［６］
次に、作物苗保持体８を育苗領域１に平面状に並べて収容している状態において、全ての作物苗保持体８の作物苗Ａを出荷する必要が生じた場合について説明する。
図１及び図２に示す状態において、扉１３，１４を開けて、支持台９を扉１４の位置に位置させ、作物苗保持体８を案内レール５に沿って建屋１１の内部に移動させて、６個の作物苗保持体８を案内レール２３に支持させる。搬送装置２５において駆動スプロケット２８を逆方向に所定量だけ回転駆動して停止させて、６個の作物苗保持体８を押し金具３２（又は押し金具３３）によって保持体支持部１５の下部を通過させて支持台９に押し出し、作業領域３において６個の作物苗保持体８から出荷用のトラック１０に作物苗Ａを載せる。
【００４８】
作業領域３において６個の作物苗保持体８から出荷用のトラック１０に作物苗Ａを載せる作業が終了すると、空の６個の作物苗保持体８を支持台９から建屋１１の内部に移動させて、６個の作物苗保持体８を案内レール２３に支持させ、保持体支持部１５において駆動軸１７を正方向に所定量だけ回転駆動して停止させて、支持部材２２を上昇駆動することにより、支持部材２２に空の６個の作物苗保持体８を支持させて案内レール２３から持ち上げさせる。
以上のような作業を繰り返すことにより、作業領域３において作物苗保持体８から出荷用のトラック１０に作物苗Ａを載せ、空の作物苗保持体８を保持体支持部１５に上下方向に段状に支持させる。
【００４９】
［７］
前項［６］に記載のように、空の作物苗保持体８を保持体支持部１５に上下方向に段状に支持している状態において、空の作物苗保持体８に新たな作物苗Ａを収納して育苗を行う場合について説明する。
図１１（ロ）に示す状態において、扉１３，１４を開け、支持台９を扉１４の位置に位置させ、保持体支持部１５において駆動軸１７を逆方向に所定量だけ回転駆動して停止させて、支持部材２２を下降駆動することにより、下端の支持部材２２に支持された空の６個の作物苗保持体８を案内レール２３に移す。次に搬送装置２５において駆動スプロケット２８を逆方向に所定量だけ回転駆動して停止させ、空の６個の作物苗保持体８を押し金具３２（又は押し金具３３）によって支持台９に押し出し、作業領域３において６個の空の作物苗保持体８に新たな作物苗Ａを収納する。
【００５０】
作業領域３において６個の空の作物苗保持体８に新たな作物苗Ａを収納する作業が終了すると、６個の作物苗保持体８を支持台９から建屋１１の内部に移動させ、６個の作物苗保持体８を案内レール２３に支持させ、搬送装置２５において駆動スプロケット２８を正方向に所定量だけ回転駆動して停止させ、６個の作物苗保持体８を押し金具３２（又は押し金具３３）によって保持体支持部１５の下部を通過させて案内レール５に押し出す。
以上のような作業を繰り返しながら、案内レール５に押し出された作物苗保持体８を案内レール５に沿ってビニールハウス４の内部に移動させることにより、作物苗保持体８を育苗領域１に平面状に並べて収容する状態にする。
【００５１】
［発明の実施の別形態］
前述の［発明を実施するための最良の形態］において、図１及び図２に示す作業領域３を収容する建屋（図示せず）を備えるように構成してもよい。支持台９を移動自在に構成するのではなく、作業領域３における扉１４の各々の位置に支持台９を固定するように構成してもよい。室温調節装置１２に除湿機能を備えるように構成してもよい。
【図面の簡単な説明】
【００５２】
【図１】育苗施設の全体斜視図
【図２】育苗施設の横断平面図
【図３】育苗領域における案内レールの付近の縦断正面図
【図４】作物苗保持体のローラーの付近の正面図
【図５】作物苗保持体のローラーの付近の正面図
【図６】保持体支持部の付近の正面図
【図７】保持体支持部の付近の側面図
【図８】保持体支持部の下部の付近の正面図
【図９】保持体支持部の下部の付近の側面図
【図１０】作物苗保持体を育苗領域に平面状に並べて収容している状態から、作物苗保持体を保持体支持部に上下方向に段状に支持する状態の前半を示す側面図
【図１１】作物苗保持体を育苗領域に平面状に並べて収容している状態から、作物苗保持体を保持体支持部に上下方向に段状に支持する状態の後半を示す側面図
【図１２】作物苗保持体を保持体支持部に上下方向に段状に支持している状態から、作物苗保持体を育苗領域に平面状に並べて収容する状態を示す側面図
【図１３】作物苗保持体を育苗領域に平面状に並べて収容している状態において、例えば育苗領域の中間位置の作物苗保持体から作物苗を出荷する必要が生じた場合の前半を示す側面図
【図１４】作物苗保持体を育苗領域に平面状に並べて収容している状態において、例えば育苗領域の中間位置の作物苗保持体から作物苗を出荷する必要が生じた場合の後半を示す側面図
【符号の説明】
【００５３】
１      育苗領域
３      作業領域
５      案内経路
８      作物苗保持体
９      作業案内経路
１１    建屋
１２    室温調節装置
１５    保持体支持部
Ａ      作物苗
【図１】
2005065593.tif 000003
【図２】
2005065593.tif 000004
【図３】
2005065593.tif 000005
【図４】
2005065593.tif 000006
【図５】
2005065593.tif 000007
【図６】
2005065593.tif 000008
【図７】
2005065593.tif 000009
【図８】
2005065593.tif 000010
【図９】
2005065593.tif 000011
【図１０】
2005065593.tif 000012
【図１１】
2005065593.tif 000013
【図１２】
2005065593.tif 000014
【図１３】
2005065593.tif 000015
【図１４】
2005065593.tif 000016